(57)【要約】【課題】辞書機能を備えた電子機器において、過去の検索履歴を利用してさらに検索効率を向上させ、学習効果を高めることを可能にする。【解決手段】指定の辞書から見出し語検索された通常の見出し語一覧から任意の見出し語を選択してその説明情報を表示させると、説明情報に含まれるキーワード（名詞の単語等）が順次探索され当該説明情報の見出し語および辞書情報と対応付けられてキーワードインデックスとして登録される。所望の検索語(Ek)が入力されると、該検索語に前方一致する見出し語が辞書検索され見出し語一覧エリアEaに表示されると共に、前記キーワードインデックスから同検索語に一致するキーワードの見出し語が検索されキーワード見出し語一覧エリアEbに表示される。各見出し語一覧エリアEa,Ebから所望の見出し語が選択されると、選択見出し語に対応した説明情報(Ec)が辞書から読み出されて全画面表示される。【選択図】      図７
2012048383.tif 000002
【特許請求の範囲】
【請求項１】
複数の見出し語と当該見出し語の説明情報とを対応付けた辞書データを記憶する辞書記憶手段と、
ユーザ操作に応じて、前記辞書記憶手段により記憶された辞書データから任意の見出し語を検索し、当該見出し語に対応する説明情報を表示部に表示させた際に、同説明情報に含まれるキーワードとなる単語を抽出するキーワード抽出手段と、
このキーワード抽出手段により抽出されたキーワードと当該キーワードの抽出元である前記説明情報の見出し語とを対応付けたキーワードインデックスを生成するキーワードインデックス生成手段と、
ユーザ操作に応じて検索語を入力する検索語入力手段と、
この検索語入力手段により入力された検索語に対応する見出し語を前記辞書記憶手段により記憶された辞書データから検索する見出し語検索手段と、
前記検索語入力手段により入力された検索語に対応するキーワードを前記キーワードインデックス生成手段により生成されたキーワードインデックスから検索するキーワード検索手段と、
前記見出し語検索手段により検索された見出し語と前記キーワード検索手段により検索されたキーワードに対応付けられた前記キーワードインデックスの見出し語とを表示部に一覧表示させる見出し語一覧表示手段と、
この見出し語一覧表示手段により一覧表示された見出し語の中からユーザ操作に応じて任意の見出し語を選択する見出し語選択手段と、
この見出し語選択手段により選択された見出し語に対応する説明情報を前記辞書記憶手段により記憶された辞書データから読み出して表示部に表示させる説明情報表示手段と、
を備えたことを特徴とする辞書機能を備えた電子機器。
【請求項２】
前記キーワードとなる単語の条件をユーザ操作に応じて設定するキーワード設定手段を備えたことを特徴とする請求項１に記載の辞書機能を備えた電子機器。
【請求項３】
前記キーワード設定手段は、前記キーワードとなる単語の条件を、ユーザ操作に応じて特定の品詞の単語または文頭・文末の単語として選択的に設定する、ことを特徴とする請求項２に記載の辞書機能を備えた電子機器。
【請求項４】
表示部を備えた電子機器のコンピュータを、
複数の見出し語と当該見出し語の説明情報とを対応付けた辞書データをメモリに記憶させる辞書記憶手段、
ユーザ操作に応じて、前記辞書記憶手段により記憶された辞書データから任意の見出し語を検索し、当該見出し語に対応する説明情報を前記表示部に表示させた際に、同説明情報に含まれるキーワードとなる単語を抽出するキーワード抽出手段、
このキーワード抽出手段により抽出されたキーワードと当該キーワードの抽出元である前記説明情報の見出し語とを対応付けたキーワードインデックスを生成するキーワードインデックス生成手段、
ユーザ操作に応じて検索語を入力する検索語入力手段、
この検索語入力手段により入力された検索語に対応する見出し語を前記辞書記憶手段により記憶された辞書データから検索する見出し語検索手段、
前記検索語入力手段により入力された検索語に対応するキーワードを前記キーワードインデックス生成手段により生成されたキーワードインデックスから検索するキーワード検索手段、
前記見出し語検索手段により検索された見出し語と前記キーワード検索手段により検索されたキーワードに対応付けられた前記キーワードインデックスの見出し語とを前記表示部に一覧表示させる見出し語一覧表示手段、
この見出し語一覧表示手段により一覧表示された見出し語の中からユーザ操作に応じて任意の見出し語を選択する見出し語選択手段、
この見出し語選択手段により選択された見出し語に対応する説明情報を前記辞書記憶手段により記憶された辞書データから読み出して前記表示部に表示させる説明情報表示手段、
として機能させるためのプログラム。
【発明の詳細な説明】
【技術分野】
【０００１】
本発明は、ユーザ入力された検索語と一致する見出し語を検索して表示する辞書機能を備えた電子機器およびその制御プログラムに関する。
【背景技術】
【０００２】
従来、電子辞書装置は、ユーザ入力された検索語と前方一致する見出し語が、辞書データの中から検索されて一覧表示される。そして、この見出し語一覧の中からユーザ所望の見出し語が選択されると、当該選択された見出し語に対応する説明情報が辞書データの中から読み出され説明情報表示画面として表示される。
【０００３】
ここで、前記説明情報表示画面に含まれる任意の単語を指定して当該指定の単語に対応する説明情報をさらに辞書検索して表示させることのできるジャンプ検索機能がある。このジャンプ検索機能を使用することで、調べた単語に関連する情報まで容易に知ることができ、ユーザの理解がさらに深まる利点がある。
【０００４】
ジャンプ検索機能を発展させたものとして、過去にジャンプ検索した見出し語とジャンプ先の辞書種別とを対応付けて一覧表示させ、任意の見出し語に対応する説明情報を再度読み出して表示させることのできる電子辞書装置が考えられている（例えば、特許文献１参照。）。
【先行技術文献】
【特許文献】
【０００５】
【特許文献１】特開２００５−１４１５５８号公報
【発明の概要】
【発明が解決しようとする課題】
【０００６】
電子辞書装置において、さらに検索効率を向上させたり、学習効果を高めたりすることが要望されている。
【０００７】
本発明は、このような課題に鑑みなされたもので、過去の検索履歴を利用してさらに検索効率を向上させ、学習効果を高めることが可能になる辞書機能を備えた電子機器およびその制御プログラムを提供することを目的とする。
【課題を解決するための手段】
【０００８】
請求項１に記載の辞書機能を備えた電子機器は、複数の見出し語と当該見出し語の説明情報とを対応付けた辞書データを記憶する辞書記憶手段と、ユーザ操作に応じて、前記辞書記憶手段により記憶された辞書データから任意の見出し語を検索し、当該見出し語に対応する説明情報を表示部に表示させた際に、同説明情報に含まれるキーワードとなる単語を抽出するキーワード抽出手段と、このキーワード抽出手段により抽出されたキーワードと当該キーワードの抽出元である前記説明情報の見出し語とを対応付けたキーワードインデックスを生成するキーワードインデックス生成手段と、ユーザ操作に応じて検索語を入力する検索語入力手段と、この検索語入力手段により入力された検索語に対応する見出し語を前記辞書記憶手段により記憶された辞書データから検索する見出し語検索手段と、前記検索語入力手段により入力された検索語に対応するキーワードを前記キーワードインデックス生成手段により生成されたキーワードインデックスから検索するキーワード検索手段と、前記見出し語検索手段により検索された見出し語と前記キーワード検索手段により検索されたキーワードに対応付けられた前記キーワードインデックスの見出し語とを表示部に一覧表示させる見出し語一覧表示手段と、この見出し語一覧表示手段により一覧表示された見出し語の中からユーザ操作に応じて任意の見出し語を選択する見出し語選択手段と、この見出し語選択手段により選択された見出し語に対応する説明情報を前記辞書記憶手段により記憶された辞書データから読み出して表示部に表示させる説明情報表示手段と、を備えたことを特徴としている。
【０００９】
請求項２に記載の辞書機能を備えた電子機器は、前記請求項１に記載の辞書機能を備えた電子機器において、前記キーワードとなる単語の条件をユーザ操作に応じて設定するキーワード設定手段を備えたことを特徴としている。
【００１０】
請求項３に記載の辞書機能を備えた電子機器は、前記請求項２に記載の辞書機能を備えた電子機器において、前記キーワード設定手段は、前記キーワードとなる単語の条件を、ユーザ操作に応じて特定の品詞の単語または文頭・文末の単語として選択的に設定する、ことを特徴としている。
【００１１】
請求項４に記載のプログラムは、表示部を備えた電子機器のコンピュータを、複数の見出し語と当該見出し語の説明情報とを対応付けた辞書データをメモリに記憶させる辞書記憶手段、ユーザ操作に応じて、前記辞書記憶手段により記憶された辞書データから任意の見出し語を検索し、当該見出し語に対応する説明情報を前記表示部に表示させた際に、同説明情報に含まれるキーワードとなる単語を抽出するキーワード抽出手段、このキーワード抽出手段により抽出されたキーワードと当該キーワードの抽出元である前記説明情報の見出し語とを対応付けたキーワードインデックスを生成するキーワードインデックス生成手段、ユーザ操作に応じて検索語を入力する検索語入力手段、この検索語入力手段により入力された検索語に対応する見出し語を前記辞書記憶手段により記憶された辞書データから検索する見出し語検索手段、前記検索語入力手段により入力された検索語に対応するキーワードを前記キーワードインデックス生成手段により生成されたキーワードインデックスから検索するキーワード検索手段、前記見出し語検索手段により検索された見出し語と前記キーワード検索手段により検索されたキーワードに対応付けられた前記キーワードインデックスの見出し語とを前記表示部に一覧表示させる見出し語一覧表示手段、この見出し語一覧表示手段により一覧表示された見出し語の中からユーザ操作に応じて任意の見出し語を選択する見出し語選択手段、この見出し語選択手段により選択された見出し語に対応する説明情報を前記辞書記憶手段により記憶された辞書データから読み出して前記表示部に表示させる説明情報表示手段、として機能させることを特徴としている。
【発明の効果】
【００１２】
本発明によれば、過去の検索履歴を利用してさらに検索効率を向上させ、学習効果を高めることが可能になる辞書機能を備えた電子機器およびその制御プログラムを提供できる。
【図面の簡単な説明】
【００１３】
【図１】本発明の辞書機能を備えた電子機器の実施形態に係る電子辞書装置１０の外観構成を示す正面図。
【図２】前記電子辞書装置１０の電子回路の構成を示すブロック図。
【図３】前記電子辞書装置１０のキーワードインデックスデータメモリ２２ｃに登録されるキーワードインデックスの記憶状態を示す図。
【図４】前記電子辞書装置１０の辞書検索処理に従いタッチパネル式表示部１６に表示された説明情報表示画面Ｇａの具体例を示す図。
【図５】前記電子辞書装置１０の辞書検索処理に伴うキーワード抽出機能を説明するための図。
【図６】前記電子辞書装置１０による辞書検索処理を示すフローチャート。
【図７】前記電子辞書装置１０の辞書検索処理に伴う表示動作を示す図。
【図８】前記電子辞書装置１０の辞書検索処理に伴うキーワード抽出処理を示すフローチャート。
【図９】前記電子辞書装置１０の他の実施形態に係るキーワード設定画面ＧＳを示す図。
【図１０】前記図８におけるキーワード抽出処理のステップＡＢ１，ＡＢ２に置き換えられる他の実施形態のキーワード単語探索処理を示すフローチャート。
【発明を実施するための形態】
【００１４】
図１は、本発明の辞書機能を備えた電子機器の実施形態に係る電子辞書装置１０の外観構成を示す正面図である。
【００１５】
この電子辞書装置１０は、以下に説明する電子辞書専用の携帯機器として構成されるか、辞書機能を備えたＰＤＡ(personal digital assistants)、ＰＣ(personal computer)、携帯電話、電子ブック、携帯ゲーム機等として構成される。
【００１６】
この電子辞書装置１０は、その本体ケース１１と蓋体ケース１２とがヒンジ部１３を介して展開／閉塞可能な折り畳み型ケースを備えて構成される。この折り畳み型ケースを展開した本体ケース１１の表面には、文字入力キー１４ａ、辞書指定キー１４ｂ、「訳／決定」キー１４ｃ、「戻る」キー１４ｄ、カーソルキー１４ｅ、「設定」キー１４ｆなどを備えたキー入力部（キーボード）１４、および手書き入力部（サブ画面）１５が備えられる。
【００１７】
この手書き入力部（サブ画面）１５は、ユーザがペンや指等でタッチした位置を検出するタッチ位置検出装置と表示装置が一体となった構造であり、キー入力部１４の中央手前側において例えば２５６×６４ドットのカラー液晶表示画面１５ｄに透明タッチパネル１５ｔを重ねて構成される。この手書き入力部１５の入力領域は、必要に応じて、手書き文字を入力するための手書き文字入力領域や各種機能のボタン入力領域、あるいは当該各入力領域が混在する領域に切り替えられる。
【００１８】
そして、前記手書き入力部１５が手書き文字入力領域に切り替えられた状態での手書き入力に伴う軌跡はそのカラー液晶表示画面１５ｄにエコーバックして表示される。
【００１９】
また蓋体ケース１２の表面には、そのほぼ全面を対象に例えば４８０×３２０ドットのバックライト付きのタッチパネル式表示部（メイン画面）１６が設けられる。このタッチパネル式表示部（メイン画面）１６も、前記手書き入力部（サブ画面）１５と同様に、ユーザがペンや指等でタッチした位置を検出するタッチ位置検出装置と表示装置が一体となった構造であり、そのカラー液晶表示画面１６ｄに透明タッチパネル１６ｔを重ねて構成される。
【００２０】
図２は、前記電子辞書装置１０の電子回路の構成を示すブロック図である。
【００２１】
この電子辞書装置１０は、各種の記憶媒体に記録されたプログラムを読み込んで、その読み込んだプログラムによって動作が制御されるコンピュータによって構成され、その電子回路には、ＣＰＵ(central processing unit)２１が備えられる。
【００２２】
ＣＰＵ２１は、主記憶装置（フラッシュＲＯＭ）２２内に予め記憶された装置制御プログラム２２ａ、あるいはＲＯＭカードなどの外部記憶媒体２３から記憶媒体読み書き部２４を介して前記主記憶装置２２に読み込まれた装置制御プログラム２２ａ、あるいはインターネットＮ上のＷｅｂサーバ（この場合はプログラムサーバ）３０から外部インターフェイス２５を介して前記主記憶装置２２に読み込まれた装置制御プログラム２２ａに応じて、ＲＡＭ２６を作業用メモリとして回路各部の動作を制御する。
【００２３】
前記主記憶装置２２に記憶された装置制御プログラム２２ａは、キー入力部１４、手書き入力部１５、タッチパネル式表示部１６からのユーザ操作に応じた入力信号、あるいは外部インターフェイス２５を介して接続されるインターネットＮ上の各Ｗｅｂサーバ３０…との通信信号に応じて起動される。
【００２４】
このように、前記ＣＰＵ２１には、前記主記憶装置２２、記憶媒体読み書き部２４、外部インターフェイス２５、ＲＡＭ２６、キー入力部１４、手書き入力部１５、タッチパネル式表示部１６が接続される。
【００２５】
主記憶装置２２には、装置制御プログラム２２ａとして、当該電子辞書装置１０の全体の動作を司るシステムプログラムや外部インターフェイス２５を介してインターネットＮ上の各Ｗｅｂサーバ３０…や図示しないユーザＰＣ(Personal Computer)などとデータ通信するための通信プログラムが記憶される。
【００２６】
また他に、辞書機能における見出し語検索処理、検索見出し語の一覧表示処理、カーソルＣｕにより指定された見出し語に対応する訳語・意味内容・例文（用例）などの各種説明情報の読み出し表示処理など、同主記憶装置２２内に記憶された辞書データベース２２ｂに基づく検索・表示処理全般を制御するための辞書検索プログラムが記憶される。
【００２７】
なお、この辞書検索プログラムには、前記見出し語検索処理からの説明情報の読み出し表示処理に従い表示された説明情報から、予め設定された条件に一致する単語（例えば名詞の単語）をキーワードとして抽出し、このキーワードに同説明情報の見出し語を対応付けてキーワードインデックス（２２ｃ）（図３参照）として登録するためのキーワード抽出機能、前記見出し語検索処理に伴いユーザ入力された検索語（検索文字列）と前方一致する見出し語を辞書データ（２２ｂ）から読み出して一覧表示するのと共に、前記キーワードインデックス（２２ｃ）から同検索語に一致するキーワードの見出し語（キーワード見出し語）も読み出して一覧表示するためのキーワード検索機能も含まれる。
【００２８】
辞書データベース２２ｂには、例えば日本語の見出し語に対応付けて日本語の説明情報が記述された［国語辞書］、英語の見出し語に対応付けて日本語の説明情報が記述された［英和辞書］、日本語の見出し語に対応付けて英語の説明情報が記述された［和英辞書］など、複数種類の辞書データが予め記憶されるかあるいはダウンロードされて記憶される。
【００２９】
図３は、前記電子辞書装置１０のキーワードインデックスデータメモリ２２ｃに登録されるキーワードインデックスの記憶状態を示す図である。
【００３０】
図４は、前記電子辞書装置１０の辞書検索処理に従いタッチパネル式表示部１６に表示された説明情報表示画面Ｇａの具体例を示す図である。
【００３１】
図５は、前記電子辞書装置１０の辞書検索処理に伴うキーワード抽出機能を説明するための図である。
【００３２】
通常の見出し語検索に伴い、例えば図４に示すように、ユーザ所望の見出し語「たねがしま［種子島］」に対応した説明情報が［国語辞書］（２２ｂ）から読み出され、説明情報表示画面Ｇａとしてタッチパネル式表示部１６に表示されると、図５に示すように、当該説明情報に含まれる名詞の単語「さつなんしょとう」「しま」「てっぽう」「でんらい」…がキーワードとして順次抽出される。そして、抽出された各キーワードは、図３に示すように、当該キーワードの抽出元である説明情報（Ｇａ）の見出し語「種子島」および辞書情報（国語）と対応付けられて、キーワードインデックスデータメモリ２２ｃに登録される。
【００３３】
ここで、前記各キーワード「さつなんしょとう」「しま」「てっぽう」「でんらい」…と対応付けて登録する見出し語「種子島」を、“キーワード見出し語”と称する。
【００３４】
次に、前記構成の電子辞書装置１０による辞書検索機能について説明する。
【００３５】
図６は、前記電子辞書装置１０による辞書検索処理を示すフローチャートである。
【００３６】
図７は、前記電子辞書装置１０の辞書検索処理に伴う表示動作を示す図である。
【００３７】
図８は、前記電子辞書装置１０の辞書検索処理に伴うキーワード抽出処理を示すフローチャートである。
【００３８】
ここでは、図８におけるキーワード抽出処理について先に説明する。
【００３９】
ユーザ入力された検索語（検索文字列）と前方一致する見出し語が、ユーザ指定の辞書データ（２２ｂ）から検索されて一覧表示され、この中からユーザ選択された見出し語に対応する説明情報表示画面Ｇａ（図４参照）がタッチパネル式表示部１６に表示されると、図８におけるキーワード抽出処理に移行される（ステップＳ７，Ｓ８（Ｙｅｓ）→ＳＡ）。
【００４０】
例えば名詞の単語をキーワードの条件に設定した場合、前記説明情報表示画面Ｇａに表示された見出し語「たねがしま［種子島］」に対応する説明情報の中から名詞の単語が探索される（ステップＡＢ１）。
【００４１】
そして、キーワード「さつなんしょとう」が探索されて発見されると（ステップＡ２（Ｙｅｓ））、キーワードインデックスデータメモリ２２ｃのメモリ領域に空きがあるか否か判断される（ステップＡ３）。
【００４２】
ここで、空きがあると判断されると（ステップＡ３（Ｙｅｓ））、前記探索されたキーワードに当該キーワード「さつなんしょとう」の探索元である説明情報の見出し語［種子島］および辞書情報（国語）が対応付けられてキーワードインデックスデータメモリ２２ｃに登録される（ステップＡ４）。
【００４３】
そして、前記説明情報（Ｇａ）の中から次の名詞の単語であるキーワード「しま」が探索され（ステップＡＢ２）、前記ステップＡ２以降の処理に戻る。
【００４４】
なお、前記ステップＡ３において、キーワードインデックスデータメモリ２２ｃのメモリ領域に空きが無いと判断された場合は（ステップＡ３（Ｎｏ））、当該データメモリ２２ｃの中から最も古いキーワードインデックスが削除された後（ステップＡ５）、前記登録処理が実行される（ステップＡ４）。
【００４５】
このように、通常の見出し語検索に伴う見出し語一覧からの選択見出し語に対応した説明情報（Ｇａ）が表示される毎に、当該説明情報（Ｇａ）に含まれるキーワードが抽出され、同説明情報（Ｇａ）の見出し語および辞書情報が対応付けられてキーワードインデックスデータメモリ２２ｃに登録される。
【００４６】
次に、このようなキーワード抽出処理を伴う辞書検索処理（図６参照）について説明する。
【００４７】
辞書指定キー１４ｂにより検索対象の辞書（例えば［国語辞書］）が指定されると（ステップＳ１）、図７（Ａ）に示すように、辞書検索画面Ｇｂがタッチパネル式表示部１６に表示される。
【００４８】
この辞書検索画面Ｇｂの検索語入力エリアＥｋに対して、ユーザ所望の検索語「てっぽう」が入力されて表示されると（ステップＳ２）、先ず、前記指定の辞書データ［国語辞書］（２２ｂ）から前記検索語「てっぽう」と前方一致する見出し語「てっぽう［鉄砲］」「てっぽうだま［鉄砲玉］」「てっぽうみず［鉄砲水］」…が検索される（ステップＳ３）。
【００４９】
またこれと共に、前記キーワードインデックスデータメモリ２２ｃ（図３参照）から前記検索語「てっぽう」と一致するキーワードに対応付けられた見出し語「種子島（国語）」「関所（国語）」…が検索される（ステップＳ４）。
【００５０】
すると、前記見出し語検索された各見出し語「てっぽう［鉄砲］」「てっぽうだま［鉄砲玉］」「てっぽうみず［鉄砲水］」…が、見出し語一覧エリアＥａに表示されると共に、前記キーワード検索された各キーワード見出し語「種子島（国語）」「関所（国語）」…がキーワード見出し語一覧エリアＥｂに表示される（ステップＳ５）。
【００５１】
この際、この見出し語一覧エリアＥａとキーワード見出し語一覧エリアＥｂとが同時表示された辞書検索画面Ｇｂにおいて、カーソルキー１４ｅにより当該各一覧エリアＥａ，Ｅｂ内の反転カーソルＣｕを適宜移動させると、この反転カーソルＣｕの位置にある見出し語またはキーワード見出し語に対応する説明情報が前記指定の辞書データ［国語辞書］（２２ｂ）から読み出され、図７（Ａ）あるいは図７（Ｂ）に示すように、説明情報プレビューエリアＥｃにプレビュー表示される。
【００５２】
そして、「訳／決定」キー１４ｃが操作されると、前記反転カーソルＣｕにより選択された見出し語またはキーワード見出し語に対応する説明情報が説明情報表示画面Ｇａ（図３参照）としてタッチパネル表示部１６に全画面表示される（ステップＳ６（Ｙｅｓ）→Ｓ７）。
【００５３】
ここで、前記ステップＳ７にて全画面表示された説明情報表示画面Ｇａが、前記見出し語一覧エリアＥａでの反転カーソルＣｕ（図７（Ａ）参照）により選択された通常の見出し語に対応する説明情報表示画面Ｇａである場合には（ステップＳ８（Ｙｅｓ））、前述した通り、図８におけるキーワード抽出処理が実行される（ステップＳＡ）。そして、その説明情報（Ｇａ）に含まれるキーワード（名詞の単語）「かやく」「ばくはつ」「だんがん」…が順次探索され、同説明情報（Ｇａ）の見出し語「鉄砲」および辞書情報（国語）と対応付けられて前記キーワードインデックスデータメモリ２２ｃに登録される。
【００５４】
したがって、前記構成の電子辞書装置１０による辞書検索機能によれば、ユーザ指定の辞書（２２ｂ）から見出し語検索された通常の見出し語一覧（Ｅａ）から、任意の見出し語を選択してその説明情報（Ｇａ）を表示させると、説明情報（Ｇａ）に含まれるキーワード（名詞の単語）が順次探索され、当該説明情報の見出し語および辞書情報と対応付けられてキーワードインデックスデータメモリ２２ｃに登録される。所望の検索語（Ｅｋ）がユーザ入力されて「訳／決定」１４ｃされると、当該検索語に前方一致する見出し語が辞書（２２ｂ）から検索され見出し語一覧エリアＥａに表示されると共に、同検索語に一致するキーワードの見出し語が前記キーワードインデックスデータメモリ２２ｃから検索されキーワード見出し語一覧エリアＥｂに表示される。そして、前記何れかの見出し語一覧エリアＥａ，Ｅｂから所望の見出し語がユーザ選択されると、選択見出し語に対応した説明情報（Ｇａ）が辞書（２２ｂ）から読み出されて全画面表示される。
【００５５】
このため、ユーザ入力された検索語に対応して、指定の辞書の見出し語が検索されて一覧表示されるだけでなく、過去の見出し語検索に伴い表示された説明情報の中から抽出されて予め登録された名詞などの単語であるキーワードも検索され、このキーワードに対応付けられて登録された同キーワードを含む説明情報の見出し語も一覧表示されるので、この各見出し語一覧の中から所望の見出し語を選択して対応する説明情報を表示できる。
【００５６】
よって、ユーザの過去の検索履歴を利用してさらに検索効率を向上させ、学習効果を高めることが可能になる。
【００５７】
（他の実施形態）
前記実施形態のキーワード抽出処理では、見出し語検索により読み出された説明情報（Ｇａ）から名詞の単語をキーワードとして探索し、当該説明情報（Ｇａ）の見出し語および辞書情報を対応付けてキーワードインデックスデータメモリ２２ｃに登録する構成とした。
【００５８】
これに対し、次の図９、図１０を参照して説明するように、見出し語検索による説明情報（Ｇａ）から探索すべきキーワードの条件を、ユーザ任意に設定する構成としてもよい。
【００５９】
図９は、前記電子辞書装置１０の他の実施形態に係るキーワード設定画面ＧＳを示す図である。
【００６０】
「設定」キー１４ｆを操作すると、図９に示すように、キーワード設定画面ＧＳが表示される。このキーワード設定画面ＧＳでは、前記見出し語検索による説明情報（Ｇａ）から探索すべきキーワードの条件として、「名詞、動詞」または「名詞」または「固有名詞」または「文頭・文末単語」または「キーワード設定なし」を、ユーザ操作に応じた反転カーソルＣｕの移動により選択的に設定できる。
【００６１】
図１０は、前記図８におけるキーワード抽出処理のステップＡＢ１，ＡＢ２に置き換えられる他の実施形態のキーワード単語探索処理を示すフローチャートである。
【００６２】
この他の実施形態のキーワード単語探索処理では、前記見出し語検索による説明情報（Ｇａ）から探索すべきキーワードの条件として、「文頭・文末単語」が設定された場合には（ステップＢ１（Ｎｏ）→Ｂ２（Ｙｅｓ））、当該説明情報（Ｇａ）に含まれる各説明文から順次それぞれその文頭と文末の単語が探索されキーワードとして取得される（ステップＢ３，Ｂ４）。
【００６３】
また、前記見出し語検索による説明情報（Ｇａ）から探索すべきキーワードの条件として、「名詞、動詞」または「名詞」または「固有名詞」が設定された場合には（ステップＢ１（Ｎｏ）→Ｂ２（Ｎｏ））、当該説明情報（Ｇａ）に含まれる前記設定された品詞に対応する単語だけが順次探索されキーワードとして取得される（ステップＢ５〜Ｂ８）。
【００６４】
この他の実施形態のキーワード単語探索処理により取得された各キーワードは、前記説明情報（Ｇａ）の見出し語および辞書情報と対応付けて、前記図８におけるステップＡ２〜Ａ５の処理に従いキーワードインデックスデータメモリ２２ｃに登録される。
【００６５】
一方、前記見出し語検索による説明情報（Ｇａ）から探索すべきキーワードの条件として、「キーワード設定なし」が設定された場合には（ステップＢ１（Ｙｅｓ））、当該説明情報（Ｇａ）からのキーワードの探索は行われない。
【００６６】
なお、前記各実施形態のキーワード抽出処理において、キーワードインデックスデータメモリ２２ｃのメモリ領域に空きがなく（ステップＡ３（Ｎｏ））、古いキーワードと見出し語（辞書）のキーワードインデックスデータを削除する場合、固有名詞のキーワード（単語）を有するキーワードインデックスデータは優先保存するようにし、それ以外のキーワードインデックスデータを削除する構成とする。
【００６７】
これによれば、検索対象となり易く学習効果の高いキーワードインデックスデータを残して、より効果的な辞書検索処理を実行することができる。
【００６８】
前記各実施形態において記載した電子辞書装置１０による各処理の手法、すなわち、図６のフローチャートに示す辞書検索処理、図８のフローチャートに示す前記辞書検索処理に伴うキーワード抽出処理、図１０のフローチャートに示す他の実施形態のキーワード単語探索処理などの各手法、及び各種のデータ（２２ｂ，２２ｃ）は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体２３に格納して配布することができる。そして、電子機器のコンピュータは、この外部記憶媒体２３に記憶されたプログラムを記憶装置（２２）に読み込み、この読み込んだプログラムによって動作が制御されることにより、前記各実施形態において説明した辞書検索機能を実現し、前述した手法による同様の処理を実行することができる。
【００６９】
また、前記各手法を実現するためのプログラムのデータは、プログラムコードの形態としてネットワークＮ上を伝送させることができ、このプログラムデータを、ネットワークＮに接続された電子機器のコンピュータに通信制御部（２５）によって取り込むことで、前述した辞書検索機能を実現することもできる。
【００７０】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【００７１】
１０  …電子辞書装置
１１  …本体ケース
１２  …蓋体ケース
１３  …ヒンジ部
１４  …キー入力部（キーボード）
１４ａ…文字入力キー
１４ｂ…辞書指定キー
１４ｃ…「訳／決定」キー
１４ｄ…「戻る」キー
１４ｅ…カーソルキー
１４ｆ…「設定」キー
１５  …手書き入力部
１５ｄ…カラー液晶表示部
１５ｔ…透明タッチパネル
１６  …タッチパネル式表示部
１６ｄ…カラー液晶表示部
１６ｔ…透明タッチパネル
２１  …ＣＰＵ
２２  …主記憶装置
２２ａ…装置制御プログラム
２２ｂ…辞書データベース
２２ｃ…キーワードインデックスデータメモリ
２３  …外部記憶媒体
２４  …記憶媒体読み書き部
２５  …外部インターフェイス
２６  …ＲＡＭ
３０  …Ｗｅｂサーバ
Ｇａ  …説明情報表示画面
Ｇｂ  …辞書検索画面
ＧＳ  …キーワード設定画面
Ｅｋ  …検索語入力エリア
Ｅａ  …見出し語一覧エリア
Ｅｂ  …キーワード見出し語一覧エリア
Ｅｃ  …説明情報プレビューエリア
Ｃｕ  …反転カーソル
【図１】
2012048383.tif 000003
【図２】
2012048383.tif 000004
【図３】
2012048383.tif 000005
【図４】
2012048383.tif 000006
【図５】
2012048383.tif 000007
【図６】
2012048383.tif 000008
【図７】
2012048383.tif 000009
【図８】
2012048383.tif 000010
【図９】
2012048383.tif 000011
【図１０】
2012048383.tif 000012